(57)【特許請求の範囲】
【請求項１】
回動されるチェーンに搬送爪を起伏自在に枢支連結し、係止搬送経路においては前記搬送爪が起立されて搬送ケースから突出されるとともに、戻り経路においては搬送爪が前記チェーンに沿った姿勢に倒伏されて搬送ケース内に格納されるよう構成した収穫機の係止搬送装置において、
前記搬送爪の背面に形成された凹部に、前記搬送爪の背面の略全長に亘って配備された弾性クッション材を備え、
前記弾性クッション材の根元側部分を前記凹部に固定し、前記弾性クッション材の先端側部分を前記凹部の底面に対して間隙をもった状態で前記搬送爪の背面よりも突出させてあることを特徴とする収穫機の係止搬送装置。
【発明の詳細な説明】
【技術分野】
【０００１】
本発明は、コンバインやバインダーなどの収穫機における引起し装置や刈取り穀稈の穂先側搬送、などに用いられる係止搬送装置に関する。
【背景技術】
【０００２】
上記係止搬送装置は、一般に、回動されるチェーンに搬送爪を起伏自在に枢支連結し、係止搬送経路においては前記搬送爪が起立されて搬送ケースから突出されるとともに、戻り経路においては搬送爪が前記チェーンに沿った姿勢に倒伏されて搬送ケース内に格納されるよう構成してあり、係止搬送経路の終端において搬送爪がクッションゴムに接当して起立姿勢から倒伏される際の騒音を軽減するために、形状に種々の工夫を施したクッションゴムが使用されている（例えば、特許文献１参照）。
【特許文献１】特開平９−９７６８号公報
【発明の開示】
【発明が解決しようとする課題】
【０００３】
近年、収穫機は高能率化のために穀稈搬送系の駆動速度が高速となり、このために上記構成の係止搬送装置においては搬送爪が倒伏される際の勢いで搬送爪がチェーンに接触して騒音が発生する現象が見られるようになった。特に、搬送爪が勢いよく倒伏するとその先端部は相当速い周速度でチェーンに接触することになり、硬質樹脂材で成形された搬送爪と金属製のチェーンとが耳障りな騒音を発生して接触するものであった。
【０００４】
本発明は、このような点に着目してなされたものであって、騒音の発生が少なく高速駆動することができる収穫機の係止搬送装置を提供することを目的としている。
【課題を解決するための手段】
【０００５】
第１の発明は、回動されるチェーンに搬送爪を起伏自在に枢支連結し、係止搬送経路においては前記搬送爪が起立されて搬送ケースから突出されるとともに、戻り経路においては搬送爪が前記チェーンに沿った姿勢に倒伏されて搬送ケース内に格納されるよう構成した収穫機の係止搬送装置において、
前記搬送爪の背面に形成された凹部に、前記搬送爪の背面の略全長に亘って配備された弾性クッション材を備え、前記弾性クッション材の根元側部分を前記凹部に固定し、前記弾性クッション材の先端側部分を前記凹部の底面に対して間隙をもった状態で前記搬送爪の背面よりも突出させてあることを特徴とする。
【０００６】
上記構成によると、係止搬送経路の終端において搬送爪が高速で倒伏された際の勢いでチェーンに接近しても、搬送爪の背部に備えた弾性クッション材がチェーンとの接触騒音の発生を抑制することになり、搬送爪の倒伏による耳障りな接触騒音の少ない静粛な高速駆動を行うことが可能となった。
【０００７】
【０００８】
また、チェーンに沿った姿勢に向けて倒伏される搬送爪が勢いよくチェーンに接近しても、爪背面の弾性クッション材の緩衝作用により耳障りな接触騒音の発生が抑制される。
【００１０】
上記構成によると、搬送爪が勢いよく倒伏した際、周速度の速い爪先端側が特に高速でチェーンに接近するが、爪背面の略全長に亘って配備された弾性クッション材の爪先端側部分の緩衝作用で耳障りな接触騒音の発生が抑制されるとともに、爪背面に長く配備された弾性クッション材の制振作用で接触騒音の伝播が抑制されて騒音が鈍化され、騒音抑制効果が高いものとなる。
【００１１】
【００１２】
【００１３】
【００１４】
【００１５】
【００１６】
【発明を実施するための最良の形態】
【００１７】
図１に、本発明に係る係止搬送装置の一例として、コンバインに利用される引起し装置の正面図が示されている。この引起し装置は、搬送ケース１の上部に配備された駆動スプロケット２と上部案内スプロケット３、搬送ケース１の下部に配備された下部案内スプロケット４とテンションスプロケット５とに亘ってチェーン６が横回し巻回され、このチェーン６に一定ピッチで搬送爪７が起伏自在に枢支連結され、搬送ケース１の前部に前カバー８が取外し可能に取付けられた構造となっており、チェーン６がテンションスプロケット５を回り込んで上方に移動する引起し経路（係止搬送経路）においては、テンションスプロケット５に一体形成した円筒状の起立ガイド９と搬送ケース１に固定配備した直線状の起立レール１０によって搬送爪７が起立されて搬送ケース１および前カバー８から突出され、チェーン６が下方に移動する戻り経路においては、搬送爪７がチェーン６に沿った格納姿勢に倒伏されるようになっている。
【００１８】
前記搬送爪７は硬質樹を成型して構成されたものであり、前記チェーン６に跨るように枢支ピン１１を介して起伏自在に枢支連結されるとともに、その枢支基部には、テンションスプロケット５の上方近傍に配備固定したゴム製の予備起立ガイド１２、前記起立ガイド９、および、起立レール１０に接当作用する起立用カム７ａが形成されている。また、搬送爪７における引起し作用部は滑らかに凸曲されて穀稈に円滑に接触作用するとともに、大きい引起し負荷による曲げ作用に対して高い剛性が発揮されるように、その断面形状がＵ形に成形されている。
【００１９】
搬送ケース１の上端部近くには、引起し経路の上端に到達した搬送爪７が駆動スプロケト２を回り込む際に接当倒伏させるゴム材からなるクッション材１３が配備されている。このクッション材１３は、搬送爪７に最初に接当する先端部１３ａに透孔１３ｃが設けられて中抜き形状に形成されて、衝撃少なく搬送爪７が接当倒伏されるよう構成されている。また、クッション材１３の全体形状は、倒伏された搬送爪７の先端回動軌跡に略沿った湾曲形状に形成されており、倒伏された搬送爪７がクッション材１３の内周に弾性的に摺接して滑らかに上部案内スプロケット３を回り込んでゆくようになっている。
【００２０】
チェーン６の戻り経路の外側には、前記クッション材１３の終端に連なるように帯状ゴムからなる弾性ガイド１４がステー１５を介して配備され、倒伏姿勢で戻り経路を移動する搬送爪７が外側に振れて前面カバー８の側壁に内側から接触することが回避されている。
【００２１】
前記下部案内スプロケット４は予備起立ガイドよりも上方に配備されて、倒伏姿勢の搬送爪７が起立操作される移動経路域でのチェーン６の張力が確保され、チェーン６の振れによる騒音発生が抑制されている。
【００２２】
また、前カバー８の戻り経路側には倒伏姿勢で下降移動する搬送爪を隠す側壁８ａが備えられており、この側壁８ａの下端の下方に開放形成され爪突出用の切欠きｋが旧来よりも上方位置から開口されており、搬送爪７が予備起立ガイド１２に作用するまでに起立作動を開始して、搬送爪７の起立カム７ａが予備起立ガイド１２に接触する衝撃を緩和してその際の騒音発生が抑制されている。
【００２３】
また、前記搬送爪７が倒伏される際にチェーンとの接触によって騒音を発生することを抑制するための接当構造が搬送爪７の背面に備えられている。
【００２４】
【００２５】
図５，６に示すように、Ｕ形断面形状に成型され前記搬送爪７における背面の凹部７ｃに、ゴムあるいはスポンジなどからなる弾性クッション材１７が嵌め込まれて貼付け固定されている。この弾性クッション材１７は断面形状が略Ｔ形に形成され、その先端側部分が凹部７ｃの底面に対して間隙ｃをもった状態で爪背面よりも突出されており、搬送爪７が倒伏されてチェーン６に接近した際に、周速度の速い爪先端側において弾性クッション材１７の先端側部分がチェーン６に受止められて弾性変形することで、搬送爪７がチェーン６に直接接触することによる耳障りな接触騒音の発生が抑制されるようになっている。
【００２６】
【００２７】
【００２８】
【００２９】
【００３０】
なお、上記実施例では、収穫機の係止搬送装置として横回し式の引起し装置を例に挙げているが、チェーンを縦回し駆動する分草用の引起し装置や、刈取り穀稈を脱穀装置に送り込む供給搬送装置における穂先側の係止搬送装置、など、チェーンに装着された搬送爪が起伏される各種の係止搬送装置に適用することができる。
【図面の簡単な説明】
【００３１】
【図１】引起し装置の正面図
【図２】引起し装置下部の縦断側面図
【図３】引起し装置上部の縦断側面図
【図４】引起し装置下部の側面図
【図５】搬送経路における搬送爪の背面図
【図６】戻り経路における搬送爪の断面図（イ）と、ロ−ロでの横断面図（ロ）
【符号の説明】
【００３２】
１              搬送ケース
６              チェーン
７              搬送爪
７ｃ            凹部
１７            弾性クッション材
ｃ              間隙
【図１】
0004537729.tif 000002
【図２】
0004537729.tif 000003
【図３】
0004537729.tif 000004
【図４】
0004537729.tif 000005
【図５】
0004537729.tif 000006
【図６】
0004537729.tif 000007